(57)【要約】【課題】渦巻型蛍光ランプを適用して色ムラのない調色を行うことができる照明器具を提供する。【解決手段】照明器具１０は、器具本体１１と、器具本体１１に保持される蛍光ランプ１３，１４と、を備え、蛍光ランプ１３，１４が二重螺旋状渦巻型蛍光ランプであり、蛍光ランプ１３，１４は２本を同軸位置で上下に組み合わされてそれぞれを９０度の位相差を有して配置された。【選択図】図１
2010186707.tif 000002
【特許請求の範囲】
【請求項１】
器具本体と、
前記器具本体に保持される蛍光ランプと、
を備える照明器具であって、
前記蛍光ランプが二重螺旋状渦巻型蛍光ランプであり、前記蛍光ランプは２本を同軸位置で上下に組み合わされてそれぞれを９０度の位相差を有して配置したことを特徴とする照明器具。
【請求項２】
前記蛍光ランプは、上下のそれぞれが異なる色温度に設定されていることを特徴とする請求項１に記載した照明器具。
【請求項３】
前記蛍光ランプは、上下のそれぞれが異なる色に施されていることを特徴とする請求項１に記載した照明器具。
【発明の詳細な説明】
【技術分野】
【０００１】
本発明は、例えば天井面に取り付けられる照明器具に関し、特に蛍光ランプとして渦巻型蛍光ランプを用いた照明器具に関する。
【背景技術】
【０００２】
本発明者らは、断面形状を放物線形状の反射板に、光色の異なる複数の光源の光を反射させるようにした照明器具を既に提案している（例えば、特許文献１参照）。
【先行技術文献】
【特許文献】
【０００３】
【特許文献１】特開平１１−１３４９１０号公報（図１、請求項１）
【発明の概要】
【発明が解決しようとする課題】
【０００４】
ところが、上記特許文献１に開示された照明器具においては、直管の蛍光ランプを上下に組み合わせて色ムラのない調色を行えるものの、上下の蛍光ランプの光色を均等に混ぜるための反射板が必須であった。
従って、反射板の構造が複雑であり高価になりうる。
【０００５】
加えて、近年、蛍光ランプとして渦巻型蛍光ランプを適用する傾向があり、渦巻型蛍光ランプの特性である外径の小型化を活用することについて必要性がでてきた。
【０００６】
本発明は、前述した課題を解決するためになされたものであり、その目的は、渦巻型蛍光ランプを適用して色ムラのない調色を行うことができる照明器具を提供することにある。
【課題を解決するための手段】
【０００７】
本発明に係る照明器具は、器具本体と、前記器具本体に保持される蛍光ランプと、を備える照明器具であって、前記蛍光ランプが二重螺旋状渦巻型蛍光ランプであり、前記蛍光ランプは２本を同軸位置で上下に組み合わされてそれぞれを９０度の位相差を有して配置されたことを特徴とする。
【０００８】
本発明においては、２本の蛍光ランプを同軸に合わせて上下方向に９０度の位相差を有してずらして配置する。９０度ずらすことにより、下方からは上の蛍光ランプの全ての光路が下の蛍光ランプの全ての隙間より見える。
これにより、上の蛍光ランプの全ての光路が下の蛍光ランプの全ての隙間より見えることによって、下方からは上のランプ光と下のランプ光とが混ざり合って混色される。
従って、反射板を用いることなく、反射板との距離を開けることなく、上のランプ光と下のランプ光とを混ぜ合わせて色ムラのない混色や調色を行うことにより光の演出を行うことができる。
【０００９】
本発明に係る照明器具は、上記照明器具において、前記蛍光ランプは、上下のそれぞれが異なる色温度に設定されていることを特徴とする。
【００１０】
本発明においては、上下の蛍光ランプのそれぞれを異なる色温度に設定することにより、調光度合いを変えて、色温度を適宜調整することができる。
【００１１】
本発明に係る照明器具は、上記照明器具において、前記蛍光ランプは、上下のそれぞれが異なる色に施されていることを特徴とする。
【００１２】
本発明においては、例えば、上の蛍光ランプを低色温度光源とし、下の蛍光ランプを高色温度光源とすれば、下の高色温度光源が強調される。これにより、さわやかな高色温度重視の調色を行うことができる。これに反して、上の蛍光ランプを高色温度光源とし、下の蛍光ランプを低色温度光源とすれば、下の低色温度光源が強調される。これにより、暖かみのある低色温度重視の調色を行うことができる。
【発明の効果】
【００１３】
本発明の照明器具によれば、天井面に取り付けられる器具本体と、器具本体に保持される蛍光ランプと、を備え、蛍光ランプが二重螺旋状渦巻型蛍光ランプであり、蛍光ランプは２本を同軸位置で上下に組み合わされてそれぞれを９０度の位相差を有して配置した。
これにより、渦巻型蛍光ランプを適用して色ムラのない調色を行うことができるという効果を有する。
【図面の簡単な説明】
【００１４】
【図１】本発明に係る一実施形態の照明器具の垂直断面図
【図２】図１の照明器具の蛍光ランプ周りの底面図
【図３】図１の照明器具の回路構成図
【図４】図１の照明器具における蛍光ランプの光学的特性の説明図
【発明を実施するための形態】
【００１５】
以下、本発明の一実施形態に係る照明器具について図面を参照して説明する。
【００１６】
本発明の一実施形態である照明器具１０は、高周波専用の電子安定器である点灯回路１２を内蔵した器具本体１１と、下方に配置される蛍光ランプである第１二重螺旋状渦巻型蛍光ランプ１３と、上方に配置される蛍光ランプである第２二重螺旋状渦巻型蛍光ランプ１４と、器具本体１１の開口部に取り付けられて両蛍光ランプ１３，１４からの光を拡散させるための乳白色の拡散パネル１５と、を備える。
【００１７】
図１に示すように、照明器具１０は、器具本体１１の中央部に組み付けられている引掛シーリングと言われる不図示の省施工用部品を介して天井面１に取り付けられる。
【００１８】
図２に示すように、第１二重螺旋状渦巻型蛍光ランプ１３は、電球色（Ｌ色）で発光する色温度が約３０００Ｋの低色温度光源である。第１二重螺旋状渦巻型蛍光ランプ１３の約３０００Ｋの色温度の光はやや赤味を帯びた白色光であって暖かさを感じさせる。
【００１９】
第１二重螺旋状渦巻型蛍光ランプ１３は、発光管１６と、発光管１６の両端部に取り付けられた電極１７，１７とを備える。第１二重螺旋状渦巻型蛍光ランプ１３は電極１７，１７を通じて点灯回路１２から電力を与えられて点灯する。
【００２０】
第２二重螺旋状渦巻型蛍光ランプ１４は、昼光色（Ｄ色）で発光する色温度が約６５００Ｋの高色温度光源である。第２二重螺旋状渦巻型蛍光ランプ１４の約６５００Ｋの高色温度の光はやや青味を帯びた白色光であって涼しさを感じさせる。
【００２１】
第２二重螺旋状渦巻型蛍光ランプ１４は、発光管１８と、発光管１８の両端部に取り付けられた電極１９，１９とを備える。第２二重螺旋状渦巻型蛍光ランプ１４は電極１９，１９を通じて点灯回路１２から電力を与えられて点灯する。
【００２２】
そして、第１二重螺旋状渦巻型蛍光ランプ１３を下方にし、第２二重螺旋状渦巻型蛍光ランプ１４を上方にして、２本のランプ１３，１４を同軸位置で上下に組み合わせてそれぞれを９０度の位相差γを有して組み付けている。
従って、下方からは、上方に配置されている第２二重螺旋状渦巻型蛍光ランプ１４の全ての隙間２０から上方の第１二重螺旋状渦巻型蛍光ランプ１３が見えることになる。
【００２３】
図３に示すように、点灯回路１２は、色温度コントローラ２１と、制御ブロック２２と、上ランプ用調光安定器２３と、下ランプ用調光安定器２４と、を備える。
【００２４】
色温度コントローラ２１は、色温度を調整するマンマシンI/Fであり、使用者により任意に選ばれた色温度情報信号を制御ブロック２２に与える。色温度コントローラ２１は例えば建物の壁面等に設置される。色温度コントローラ２１は通信手段を介して制御ブロック２２に色温度情報信号を無線で転送するようにしても良い。
【００２５】
制御ブロック２２は、色温度コントローラ２１から与えられた色温度情報信号に基づいて、両ランプ１３，１４からの色温度を黒体軌跡に沿って変化させるように上ランプ用調光安定器２３および下ランプ用調光安定器２４に調光信号を与える。
【００２６】
上ランプ用調光安定器２３および下ランプ用調光安定器２４は制御ブロック２２から与えられた調光信号により両ランプ１３，１４の点灯・調光度合いを制御した電力を与える。
【００２７】
次に、第１二重螺旋状渦巻型蛍光ランプ１３および第２二重螺旋状渦巻型蛍光ランプ１４の光学的特性について説明する。
【００２８】
図４に示すように、下方に配置されている第１二重螺旋状渦巻型蛍光ランプ１３は低色温度光源の光αを発光し、上方に配置されている第２二重螺旋状渦巻型蛍光ランプ１４は高色温度光源の光βを発光する。
これにより、下方に配置されている第１二重螺旋状渦巻型蛍光ランプ１３の全ての隙間２０から、上方に配置されている第２二重螺旋状渦巻型蛍光ランプ１４からの光αが通過することになる。
従って、第１二重螺旋状渦巻型蛍光ランプ１３からの低色温度光源の光αと第２二重螺旋状渦巻型蛍光ランプ１４からの高色温度光源の光βとが混色する。
【００２９】
このような照明器具１０は、色温度コントローラ２１により任意に選ばれた色温度情報信号を制御ブロック２２に与える。制御ブロック２２は与えられた色温度情報信号に基づいて両ランプ１３，１４からの色温度を黒体軌跡に沿って変化させるように上ランプ用調光安定器２３および下ランプ用調光安定器２４に調光信号をそれぞれ与える。
【００３０】
これにより、第１二重螺旋状渦巻型蛍光ランプ１３および第２二重螺旋状渦巻型蛍光ランプ１４は上ランプ用調光安定器２３および下ランプ用調光安定器２４から与えられた調光信号により調光制御されて点灯する。
【００３１】
このとき、下方に配置されている第１二重螺旋状渦巻型蛍光ランプ１３の全ての隙間２０から、上方に配置されている第２二重螺旋状渦巻型蛍光ランプ１４からの光βが通過し、拡散パネル１５に２種類の光αおよび光βが照射される。
【００３２】
そして、拡散パネル１５に照射された２種類の光αおよび光βは、上方に配置されている第２二重螺旋状渦巻型蛍光ランプ１４からの高色温度光源の光βよりも、下方に配置されている第１二重螺旋状渦巻型蛍光ランプ１３からの低色温度光源の光αの方が強調されて高色温度光源の光βに低色温度光源の光αが混ざり合って混色される。
従って、低色温度光源の光βが強調されて高色温度光源の光βが混色された暖かみのある光を演出することができる。
【００３３】
このような照明器具１０において、上記とは反対に、上方に第１二重螺旋状渦巻型蛍光ランプ１３を配置し、下方に第２二重螺旋状渦巻型蛍光ランプ１４を配置するようにもできる。
【００３４】
この場合、下方に配置されている第２二重螺旋状渦巻型蛍光ランプ１４の全ての隙間から、上方に配置されている第１二重螺旋状渦巻型蛍光ランプ１３からの光αが通過し、拡散パネル１５に２種類の光αおよび光βが照射される。
【００３５】
そして、拡散パネル１５に照射された２種類の光αおよび光βは、上方に配置されている第１二重螺旋状渦巻型蛍光ランプ１３からの光αよりも、下方に配置されている第２二重螺旋状渦巻型蛍光ランプ１４からの低色温度光源の光βの方が強調されて高色温度光源の光βに混ざり合って混色される。
従って、高色温度光源の光αが強調されて低色温度光源の光βが混色された暖かみのある光を演出することができる。
【００３６】
第１実施形態の照明器具１０では、２本の二重螺旋状渦巻型蛍光ランプ１３，１４を同軸に合わせて上下方向に９０度の位相差を有してずらして配置する。９０度ずらすことにより、下方からは上方の第２二重螺旋状渦巻型蛍光ランプ１４の全ての光路が下方の第１二重螺旋状渦巻型蛍光ランプ１３の全ての隙間２０より見える。
これにより、上方の第２二重螺旋状渦巻型蛍光ランプ１４の全ての光路が下方の第１二重螺旋状渦巻型蛍光ランプ１３の全ての隙間２０より見えることによって下方からは上のランプ光αと下のランプ光βとが混ざり合って混色される。
従って、反射板を用いることなく、反射板との距離を開けることなく、上のランプ光αと下のランプ光βとを混ぜ合わせて色ムラのない混色や調色を行うことにより光の演出を行うことができる。
【００３７】
第１実施形態の照明器具１０では、上下の二重螺旋状渦巻型蛍光ランプ１３，１４のそれぞれを異なる色温度に設定することにより、調光度合いを変えて、色温度を適宜調整することができる。
【００３８】
第１実施形態の照明器具１０では、上方の第２二重螺旋状渦巻型蛍光ランプ１４を低色温度光源とし、下方の第１二重螺旋状渦巻型蛍光ランプ１３を高色温度光源とすれば、下方の高色温度光源が強調される。これにより、さわやかな高色温度重視の調色を行うことができる。これに反して、上方の第１二重螺旋状渦巻型蛍光ランプ１３を高色温度光源とし、下方の第２二重螺旋状渦巻型蛍光ランプ１４を低色温度光源とすれば、下方の低色温度光源が強調される。これにより、暖かみのある低色温度重視の調色を行うことができる。
【００３９】
なお、前記各実施形態で使用した器具本体１１、点灯回路１２、拡散パネル１５等は例示したものに限定するものではなく適宜変更が可能である。
【符号の説明】
【００４０】
１０  照明器具
１１  器具本体
１３  第１二重螺旋状渦巻型蛍光ランプ（蛍光ランプ）
１４  第２二重螺旋状渦巻型蛍光ランプ（蛍光ランプ）
【図１】
2010186707.tif 000003
【図２】
2010186707.tif 000004
【図３】
2010186707.tif 000005
【図４】
2010186707.tif 000006